(57)【要約】【課題】ハンドセット送話部またはハンズフリーマイクのいずれか一方で通話中に、他方のマイクを活用して雑音を低減する電話装置を提供する。【解決手段】上述した課題は、ハンドセットと、ハンズフリーマイクと、スピーカと、音声入力部を判定する通話判定部と、雑音信号の位相を反転する位相反転部と、通話判定部が判定した音声入力部からの音声信号と位相を反転された雑音信号を合成する加算部とを備え、雑音成分が低減された音声信号を通話中の相手端末に送信する電話装置により、達成できる。【選択図】図２
2010016516.tif 000002
【特許請求の範囲】
【請求項１】
音声入力部としてハンドセットマイクと、ハンズフリーマイクとを備えた電話装置において、
どちらの前記音声入力部から通話音が入力されているかを判定する通話判定部と、、前記通話判定部が判定した音声入力部からの音声信号から他方の音声入力部からの音声信号を減算する減算部とを備え、
前記減算部により雑音成分が低減された音声信号を通話中の相手端末に送信することを特徴とする電話装置。
【請求項２】
前記減算部の入力側に第１のレベル調整部と、前記減算部の出力側に第２のレベル調整部とを備えることを特徴とする請求項１に記載の電話装置。
【請求項３】
前記ハンドセットからの第１の入力信号の入力レベルを検知する第１の入力レベル検知部と、
前記ハンズフリーマイクからの第２の入力信号の入力レベルを検知する第２の入力レベル検知部と、
前記第１の入力レベル検知部の出力と前記第２の入力レベル検知部の出力と前記通話判定部の判定結果とに基づいて、前記第１のレベル調整部と前記第２のレベル調整部とを調整することを特徴とする請求項２に記載の電話装置。
【発明の詳細な説明】
【技術分野】
【０００１】
本発明は、電話装置に係り、特に背景雑音を低減する電話装置に関する。
【背景技術】
【０００２】
特許文献１に記載されたシステムは、ハンズフリーマイクを使用して、周囲雑音を監視することで、周囲雑音が大きかった場合に通話中の受話レベルを上げることで相手側の音声を聞き取りやすくする。また、このシステムは、送話の閾値レベルを上げることで、閾値レベルより小さい周囲雑音をカットし、送話した音声を相手側に聞き取りやすくする等、通話中における周囲雑音による影響を軽減する。
【０００３】
しかし、特許文献１のシステムでは、通話時に周囲雑音のレベルにあわせて送話の閾値レベルの変更を行い、閾値レベルより小さい周囲雑音をカットするため、閾値レベルと同等の音声信号が入力された場合、送話信号が相手側で聞き取れない。また、ハンズフリーマイクを使用して周囲雑音を監視することで、通話中の受話レベル調整や、送話の閾値レベルを上げる等の処理を行うことは、通話時の周囲雑音の影響を軽減することはできる。しかし、周囲雑音そのものの抑制ができているわけではないため、通話相手に対しては、周囲雑音が聞こえてしまうといった可能性がある。
【０００４】
【特許文献１】特開２００６−２８７４３１号公報
【発明の開示】
【発明が解決しようとする課題】
【０００５】
本発明の課題は、ハンドセット送話部またはハンズフリーマイクのいづれか一方で通話中に、他方のマイクを活用して雑音を低減する電話装置を提供することにある。
【課題を解決するための手段】
【０００６】
上述した課題は、音声入力部としてハンドセットマイクと、ハンズフリーマイクとを備え、どちらの音声入力部から通話音が入力されているかを判定する通話判定部と、通話判定部が判定した音声入力部からの音声信号から他方の音声入力部からの音声信号を減算する減算部とを備え、減算部により雑音成分が低減された音声信号を通話中の相手端末に送信する電話装置により、達成できる。
【発明の効果】
【０００７】
本発明によれば、通話品質に優れた電話装置を提供できる。
【発明を実施するための最良の形態】
【０００８】
以下、本発明の実施の形態について、実施例を用い図１ないし図３を参照して詳細に説明する。なお、実質同一部位には同じ参照番号を振り、説明は繰り返さない。ここで、図１は電話装置のハードウェアブロック図である。図２は信号処理部の機能ブロック図である。図３は電話装置の動作フローチャートである。
【０００９】
図１を参照して、電話装置を説明する。図１において、雑音低減機能を有する電話装置１００は、スピーカ１と、ハンドセット２と、ハンズフリーマイク３、電話機本体４とから構成されている。また、電話機本体４は、主制御部４１と、操作部４２と、表示部４３と、伝送制御部４４と、音声データ処理部４５とで構成されている。さらに、音声データ処理部４５は、信号処理部４５５と、４台の増幅器４５１〜４５４と、６台のスイッチＳＷ_Ａ〜ＳＷ_Ｆと、音声処理部４５６とから構成されている。電話装置１００は、回線網５０を介して、相手端末６０との間で通話を行う。このとき、相手端末６０は、雑音を低減された電話装置１００からの音声を聞くことができる。
【００１０】
スピーカ１は、着信があった場合に、着信音の送出を行う。スピーカ１は、ハンズフリー通話時、相手音声信号の送出を行う。ハンドセット２は、受話部２２と送話部２１とで構成されている。ハンドセット２での通話において、相手音声信号を受話部２２より、聴取する。また、送話部２１に音声信号を入力することで、相手に音声信号を伝える。ハンズフリーマイク３は、無指向性のマイクである。ハンズフリーマイク３は、ハンズフリー通話において、音声信号を入力し、相手に音声信号を伝える。ハンズフリーマイク３および送話部２１は、雑音低減機能を実現させるための背景雑音取得にも使用する。
【００１１】
主制御部４１は、プロセッサ等のハードウエア資源と共同して各種機能を実現させるためのプログラムとによって実現される。操作部４２は、フッキングＳＷ４２１を有する。操作部４２は、フッキングＳＷ４２１を用いて、ハンドセット通話およびハンズフリー通話を判定する。操作部４２は、図示しない電話番号入力用テンキーおよび各種操作を行うキーを備える。表示部４３は、液晶ディスプレイであり、入力された電話番号、日時、通話時間などを表示する。伝送制御部４４は、回線インタフェースとの制御をおこない、制御信号および音声データ信号の送受信を行う。
【００１２】
音声データ処理部４５は、音声データの送受信データ変換（圧縮／伸張）を行う。音声データ処理部４５は、また、雑音低減通話状態（ハンドセット通話／ハンズフリー通話）において、主制御部４１との連動により、スイッチの制御をおこない雑音を低減した通話を実現する。
【００１３】
ハンドセット通話のとき、音声データ処理部４５は、ＳＷ_Ａをオフ、ＳＷ_Ｂをオンすることで、相手の音声信号をハンドセット２の受話部２２で受信させる。また、音量については、操作部４２からのキー押下情報により、主制御部４１が、増幅器４５２の設定値を変更する。これによって、希望する音量に調整できる。
【００１４】
音声信号の送信については、ハンドセット２の送話部２１より音声を音声信号に変換する。音声信号は、増幅器４５３により増幅され、ＳＷ_Ｃをオフ、ＳＷ_Ｅをオンすることで信号処理部４５５に伝達される。
【００１５】
また、ハンズフリーマイク３は、背景雑音を拾い雑音信号に変換する。雑音信号は、増幅器４５４により、増幅され、ＳＷ_Ｄをオフ、ＳＷ_Ｆをオンすることで、信号処理部４５５に伝達される。
【００１６】
ハンズフリー通話のとき、音声データ処理部４５は、ＳＷ_Ａをオン、ＳＷ_Ｂをオフすることで、相手の音声信号をスピーカ１で受信させる。また、音量については、操作部４２からのキー押下情報により、主制御部４１が、増幅器４５１の設定値を変更する。これによって、希望する音量に調整できる。
【００１７】
音声信号の送信については、ハンズフリーマイク３により、音声を音声信号に変換する。音声信号は、増幅器４５４により増幅され、ＳＷ_Ｄをオフ、ＳＷ_Ｆをオンすることで信号処理部４５５に伝達される。
【００１８】
また、ハンドセット２の送話部２１は、背景雑音を拾い雑音信号に変換する。雑音信号は、増幅器４５３により、増幅され、ＳＷ_Ｃをオフ、ＳＷ_Ｅをオンすることで、信号処理部４５５に伝達される。
【００１９】
音声信号と背景雑音信号とは、信号処理部４５５にて、音声データ処理される。この詳細について、図２を参照して説明する。図２において、信号処理部４５５は、主制御部４１と接続され、２台の位相反転部７０−１、７０−２と、２台のスイッチＳＷ_Ｇ、ＳＷ_Ｈと、２台の入力レベル検知部７１−１、７１−２と、判定部７２と、位相反転部７０−１、７０−２の出力のレベルを調整する２台のレベル調整部７３−１、７３−２と、加算部７４と、加算部７４の出力のレベルを調整するレベル調整部７３−３とから構成される。なお、本実施例は、加算部７４と位相反転部７０の構成で説明するが、当然減算部であってもよい。
信号処理部４５５は、送話部２１からの入力信号と、ハンズフリーマイク３からの入力信号を利用して雑音低減処理を行う。
【００２０】
ハンドセット通話において、ハンドセット２の送話部２１からの入力信号は、操作部４２のフッキングＳＷ４２１によるオフフッキング検出により、ハンドセット通話の音声信号であると判断される。信号処理部４５５は、ＳＷ_ＧをＢ側に設定し、レベル調整部７３−１にてレベル調整を実施する。また、ハンズフリーマイク３からの雑音信号は、操作部４２のフッキングＳＷ４２１によるオフフック検出により、Ｃ側に設定されたＳＷ_Ｈにより、位相反転部７０−２に入力される。雑音信号は、位相反転部７０−２にて位相反転後、レベル調整部７３−２にてレベル調整が行われる。
【００２１】
上述した２件のレベル調整は、ハンドセット用の入力レベル検出部７１−１と、ハンズフリーマイク用の入力レベル検出部７１−２により、判定部７２が調整する。レベル調整された入力音声信号と雑音信号は、加算部７４で加算することで、高い周波数成分を含む雑音成分の信号が相殺され、入力レベルの大きい音声信号が出力される。このとき、加算された音声信号は、レベル調整部７３−３では、レベル調整をおこなわない。
【００２２】
ハンズフリー通話において、ハンドセット２の送話部２１からの入力信号は、操作部４２のフッキングＳＷ４２１によるオンフック検出により、ハンズフリー通話であると判断され、雑音信号と看做される。信号処理部４５５は、Ａ側に設定されたＳＷ_Ｇにより、位相反転部７０−１に入力される。雑音信号は、位相反転部７０−１にて位相反転後、レベル調整部７３−１にてレベル調整が行われる。また、ハンズフリーマイクからの入力音声信号は、Ｄ側を選択したＳＷ_Ｈにより、レベル調整部７３−２に入力される。入力音声信号は、レベル調整部７３−２にてレベル調整が行われる。レベル調整については、ハンドセット２の入力レベル検出部７１−１、ハンズフリーマイク３の入力レベル検出部７１−２より判定部７２で判定を行い調整する。
【００２３】
ここで、ハンズフリーマイク３からの入力音声は、感度を上げて入力されている。一方、ハンドセット２の送話部２１からの雑音信号は、微小信号である。このため、入力音声信号は、レベル調整部７３−２にて、その信号レベルを雑音信号と同等の信号レベルに小さくした後、加算部７４で加算する。この結果、高い周波数成分が相殺され、入力レベルの大きい音声信号のみが出力される。その後、レベル調整部７３−３にて、レベル調整部７３−２にて小さくした分のレベルを戻すことで、通常の音声レベルで出力する。
【００２４】
図３において、電話装置１００は、動作中か判定する（Ｓ１０１）。動作中と判定したとき、電話装置１００は、ハンドセット通話中か、ハンズフリー通話中か判定する（Ｓ１０２）。
【００２５】
ステップ１０２において、ハンドセット通話中のとき、電話装置１００は、ハンズフリーマイク３から、周辺音を集音開始する（Ｓ１０３）。電話装置１００は、ハンドセット２の送話部２１の経路スイッチを設定（ＳＷ_Ｃオフ、ＳＷ_Ｅオン、ＳＷ_Ｇ Ｂ側）する（Ｓ１０４）。電話装置１００は、ハンズフリーマイク３の経路スイッチを設定（ＳＷ_Ｆオン、ＳＷ_Ｄオフ、ＳＷ_Ｈ Ｃ側）する（Ｓ１０６）。電話装置１００は、位相反転された雑音信号と入力音声信号とを、音声合成処理し（Ｓ１０７）、ノイズ低減された音声信号を出力する（Ｓ１０８）。電話装置１００は、終話か判定し（Ｓ１０９）、ＹＥＳならステップ１０１に戻る。ステップ１０９でＮＯなら、電話装置１００は、ステップ１０３に戻る。
【００２６】
ステップ１０２において、ハンズフリー通話中のとき、電話装置１００は、ハンドセット２の送話部２１から、周辺音を集音開始する（Ｓ１１１）。電話装置１００は、ハンズフリーマイク３の経路スイッチを設定（ＳＷ_Ｆオン、ＳＷ_Ｄオフ、ＳＷ_Ｈ Ｄ側）する（Ｓ１１２）。電話装置１００は、ハンドセット２の送話部２１の経路スイッチを設定（ＳＷ_Ｃオフ、ＳＷ_Ｅオン、ＳＷ_Ｇ Ａ側）する（Ｓ１１３）。電話装置１００は、位相反転された雑音信号と入力音声信号とを、音声合成処理し（Ｓ１１４）、ノイズ低減された音声信号を出力する（Ｓ１１６）。電話装置１００は、終話か判定し（Ｓ１１７）、ＹＥＳならステップ１０１に戻る。ステップ１０９でＮＯなら、電話装置１００は、ステップ１１１に戻る。
本実施例に拠れば、特別なハードウエアを追加することなく、送話音声から周囲雑音成分を低減でき、通話相手が聞き取りやすい通話品質に優れた電話装置を提供できる。
【図面の簡単な説明】
【００２７】
【図１】電話装置のハードウェアブロック図である。
【図２】信号処理部の機能ブロック図である。
【図３】電話装置の動作フローチャートである。
【符号の説明】
【００２８】
１…スピーカ、２…ハンドセット、２１…送話部、２２…受話部、３…ハンズフリーマイク、４…電話機本体、４１…主制御部、４２…操作部、４３…表示部、４４…伝送制御部、４５…音声データ処理部、４５１…増幅器、４５２…増幅器、４５３…増幅器、４５４…増幅器、４５５…信号処理部、４５６…音声変換部（圧縮／伸張部）、５０…回線網、６０…端末、７０…位相反転部、７１…入力レベル検知部、７２…判定部、７３…レベル調整部、７４…加算部、１００…電話装置。
【図１】
2010016516.tif 000003
【図２】
2010016516.tif 000004
【図３】
2010016516.tif 000005